(57)【特許請求の範囲】
【請求項１】
ベース台と、固定接触片と、可動接触片と、上蓋と、固定接触片に接触するように可動接触片の移動を制御するための押しキーと、力を受けた前記押しキーを復帰させるための復帰バネとを含む新型キーボードスイッチであって、
前記上蓋は、ベース台上に係合し、
前記固定接触片及び可動接触片は、いずれもベース台上に設置され、
前記押しキーは、一端がベース台上に上下動可能に設置され、他端が前記上蓋に穿設されるように構成され、
前記復帰バネの上下両端は、押しキー及びベース台にそれぞれ当接し、
前記押しキーの傾きを防止するための少なくとも２つのバランサーロッドと、バランサーロッドが取り付けられるための少なくとも４つの回動溝及びスライド案内溝とをさらに含み、
前記スライド案内溝及び回動溝の数は、いずれもバランサーロッドの数の２倍であり、
前記バランサーロッドの本体は、それぞれ回動溝内に回動可能に嵌装され、
バランサーロッドの両端は、対応するスライド案内溝内に回動可能に嵌められるとともに、スライド案内溝に沿って往復動し、
前記バランサーロッドは、対称に設置される第３バランサーロッド及び第４バランサーロッドである２つのバランサーロッドであり、
前記第３バランサーロッド及び第４バランサーロッドは、上蓋及び押しキーの外側に対称に設置され、
前記上蓋の対向する２辺の外側には、２つの第３回動溝及び２つの第４回動溝がそれぞれ設置され、
前記押しキーの対向する２辺には、２つの第３スライド案内溝及び２つの第４スライド案内溝がそれぞれ設置され、
前記第３バランサーロッドは、第３ロッド体及び２つの第３エクステンションアームを含み、
２つの前記第３エクステンションアームは、それぞれ第３ロッド体の両端から一体に湾曲して延びるように形成され、
２つの第３エクステンションアームの後端のそれぞれから、第３連結アームが湾曲して延びるように形成され、
２つの第３連結アームは、互いに対向し、
前記第３ロッド体は、第３回動溝内に回動可能に嵌装され、
２つの第３連結アームは、いずれも対応する第３スライド案内溝内に回動可能に嵌められるとともに、第３スライド案内溝に沿って往復動し、
前記第４バランサーロッドは、第４ロッド体及び２つの第４エクステンションアームを含み、
２つの前記第４エクステンションアームは、それぞれ第４ロッド体の両端から一体に湾曲して延びるように形成され、
２つの第４エクステンションアームの後端のそれぞれから、第４連結アームが湾曲して延びるように形成され、
２つの第４連結アームは、互いに対向し、
前記第４ロッド体は、第４回動溝内に回動可能に嵌装され、
２つの第４連結アームは、いずれも対応する第４スライド案内溝内に回動可能に嵌められるとともに、第４スライド案内溝に沿って往復動し、
前記第３回動溝及び第４回動溝は、いずれも間隔をあけて２つ並列に設置され、
前期第３ロッド体及び第４ロッド体の両端は、それぞれ対応する第３回動溝及び第４回動溝内に嵌められることを特徴とする新型キーボードスイッチ。
【請求項２】
ベース台と、固定接触片と、可動接触片と、上蓋と、固定接触片に接触するように可動接触片の移動を制御するための押しキーと、力を受けた前記押しキーを復帰させるための復帰バネとを含む新型キーボードスイッチであって、
前記上蓋は、ベース台上に係合し、
前記固定接触片及び可動接触片は、いずれもベース台上に設置され、
前記押しキーは、一端がベース台上に上下動可能に設置され、他端が前記上蓋に穿設されるように構成され、
前記復帰バネの上下両端は、押しキー及びベース台にそれぞれ当接し、
前記押しキーの傾きを防止するための少なくとも２つのバランサーロッドと、バランサーロッドが取り付けられるための少なくとも４つの回動溝及びスライド案内溝とをさらに含み、
前記スライド案内溝及び回動溝の数は、いずれもバランサーロッドの数の２倍であり、
前記バランサーロッドの本体は、それぞれ回動溝内に回動可能に嵌装され、
バランサーロッドの両端は、対応するスライド案内溝内に回動可能に嵌められるとともに、スライド案内溝に沿って往復動し、
ベース台の下方に取り付けられてベース台を固定させるための外固定板をさらに含み、
前記バランサーロッドは、対称に設置される第５バランサーロッド及び第６バランサーロッドである２つのバランサーロッドであり、
前記第５バランサーロッド及び第６バランサーロッドは、外固定板及び押しキーの外側に対称に設置され、
前記外固定板の中央には、ベース台の取付孔が取付けられ、
前記取付孔の両側には、２つの支持台が対称に設けられ、
２つの前記支持台上には、２つの第５回動溝及び２つの第６回動溝がそれぞれ設置され、
前記押しキーの対向する２辺には、２つの第５スライド案内溝及び２つの第６スライド案内溝がそれぞれ設置され、
前記第５バランサーロッドは、第５ロッド体、２つの第５支持アーム及び２つの第５エクステンションアームを含み、
２つの第５支持アームは、それぞれ第５ロッド体の両端から上向きに湾曲して延びるように形成され、
第５エクステンションアームは、それぞれ第５支持アームの後端から一体に湾曲して延びるように形成され、
２つの第５エクステンションアームの後端のそれぞれから、第５連結アームが湾曲して延びるように形成され、
２つの第５連結アームは、互いに対向し、
前記第５ロッド体は、第５回動溝内に回動可能に嵌装され、
２つの第５連結アームは、いずれも対応する第５スライド案内溝内に回動可能に嵌められるとともに、第５スライド案内溝に沿って往復動し、
前記第６バランサーロッドは、第６ロッド体、２つの第６支持アーム及び２つの第６エクステンションアームを含み、
２つの第６支持アームは、それぞれ第６ロッド体の両端から上向きに湾曲して延びるように形成され、
第６エクステンションアームは、それぞれ第６支持アームの後端から一体に湾曲して延びるように形成され、
２つの第６エクステンションアームの後端のそれぞれから、第６連結アームが湾曲して延びるように形成され、
２つの第６連結アームは、互いに対向し、
前記第６ロッド体は、第６回動溝内に回動可能に嵌装され、
２つの第６連結アームは、いずれも対応する第６スライド案内溝内に回動可能に嵌められるとともに、第６スライド案内溝に沿って往復動し、
前記第５回動溝及び前記第６回動溝は、いずれも間隔をあけて２つ並列に設置され、
第５ロッド体及び第６ロッド体の両端は、それぞれ対応する第５回動溝及び第６回動溝内に嵌められることを特徴とする新型キーボードスイッチ。
【請求項３】
ベース台と、固定接触片と、可動接触片と、上蓋と、固定接触片に接触するように可動接触片の移動を制御するための押しキーと、力を受けた前記押しキーを復帰させるための復帰バネとを含む新型キーボードスイッチであって、
前記上蓋は、ベース台上に係合し、
前記固定接触片及び可動接触片は、いずれもベース台上に設置され、
前記押しキーは、一端がベース台上に上下動可能に設置され、他端が前記上蓋に穿設されるように構成され、
前記復帰バネの上下両端は、押しキー及びベース台にそれぞれ当接し、
前記押しキーの傾きを防止するための少なくとも２つのバランサーロッドと、バランサーロッドが取り付けられるための少なくとも４つの回動溝及びスライド案内溝とをさらに含み、
前記スライド案内溝及び回動溝の数は、いずれもバランサーロッドの数の２倍であり、
前記バランサーロッドの本体は、それぞれ回動溝内に回動可能に嵌装され、
バランサーロッドの両端は、対応するスライド案内溝内に回動可能に嵌められるとともに、スライド案内溝に沿って往復動し、
前記バランサーロッドは、対称に設置される第７バランサーロッド及び第８バランサーロッドである２つのバランサーロッドであり、
前記第７バランサーロッド及び第８バランサーロッドは、上蓋及びベース台の外側に対称に設置され、
前記ベース台の対向する２辺の外側には、２つの第７回動溝及び２つの第８回動溝がそれぞれ設置され、
前記上蓋の対向する２辺の外側の、第７回動溝及び第８回動溝に対応する位置には、第７回動溝及び第８回動溝を覆うための溝蓋がそれぞれ設置され、
前記押しキーの対向する２辺には、２つの第７スライド案内溝及び２つの第８スライド案内溝がそれぞれ設置され、
前記第７バランサーロッドは、第７ロッド体、２つの第７支持アーム及び２つの第７エクステンションアームを含み、
２つの第７支持アームは、それぞれ第７ロッド体の両端から上向きに湾曲して延びるように形成され、
２つの第７エクステンションアームは、それぞれ第７支持アームの後端から一体に湾曲して延びるように形成され、
２つの第７エクステンションアームの後端のそれぞれから、第７連結アームが湾曲して延びるように形成され、
２つの第７連結アームは、互いに対向し、
前記第７ロッド体は、第７回動溝内に回動可能に嵌装され、
２つの第７連結アームは、いずれも対応する第７スライド案内溝内に回動可能に嵌められるとともに、第７スライド案内溝に沿って往復動し、
前記第８バランサーロッドは、第８ロッド体、２つの第８支持アーム及び２つの第８エクステンションアームを含み、
２つの第８支持アームは、それぞれ第８ロッド体の両端から上向きに湾曲して延びるように形成され、
２つの第８エクステンションアームは、それぞれ第８支持アームの後端から一体に湾曲して延びるように形成され、
２つの第８エクステンションアームの後端のそれぞれから、第８連結アームが湾曲して延びるように形成され、
２つの第８連結アームは、互いに対向し、
前記第８ロッド体は、第８回動溝内に回動可能に嵌装され、
２つの第８連結アームは、いずれも対応する第８スライド案内溝内に回動可能に嵌められるとともに、第８スライド案内溝に沿って往復動し、
前記第７回動溝及び前記第８回動溝は、いずれも間隔をあけて２つ並列に設置され、
第７ロッド体及び第８ロッド体の両端は、それぞれ対応する第７回動溝及び第８回動溝内に嵌められることを特徴とする新型キーボードスイッチ。
【請求項４】
前記上蓋の対向する２つの側面のそれぞれには、２つの係止歯が間隔をあけて設置され、
前記ベース台の対向する２つの側面には、２つの係止歯の間に対応して外向きに突出する突起が形成され、
前記係止歯は、突起の両側に係止可能であり、
前記上蓋及びベース台は、係止歯及び突起により互いに係合されることを特徴とする請求項１乃至３のいずれか一項に記載の新型キーボードスイッチ。
【請求項５】
前記上蓋とベース台との係合により、第１収容室及び第２収容室が形成され、
前記固定接触片及び可動接触片は、第１収容室に位置し、
前記押しキー及び復帰バネは、第２収容室に位置し、
前記バランサーロッドは、第２収容室に位置することを特徴とする請求項４に記載の新型キーボードスイッチ。
【請求項６】
前記押しキーには、案内孔が設置され、前記ベース台上には、案内柱が対応して設置され、
前記案内孔は、案内柱に外嵌されるとともに案内柱に沿って上下動することを特徴とする請求項５に記載の新型キーボードスイッチ。
【請求項７】
前記固定接触片には、固定接触点及び第１溶接脚が設置され、
前記可動接触片には、可動接触点及び第２溶接脚が設置され、
前記固定接触点と可動接触点は、対応して設置され、
前記第１溶接脚及び第２溶接脚は、いずれもベース台から外側に突出することを特徴とする請求項６に記載の新型キーボードスイッチ。
【発明の詳細な説明】
【技術分野】
【０００１】
本発明は、キーボードスイッチ分野に関し、特に、新型キーボードスイッチに関する。
【背景技術】
【０００２】
キーボードスイッチは、キーボードに取り付けられ、キーボードに適用されるスイッチである。このようなスイッチの主な構成として、ベース、上蓋、固定接触片、可動接触片及び押しキーを有する。また、前記上蓋及びベースで囲まれて構成される収容室内には、前記固定接触片、可動接触片及び押しキーが設置される。なお、前記押しキーの一端は、収容室外に露出する。押しキーを押圧する操作をして押しキーを上下動させることで、押しキーによる作用を受ける可動接触片を固定接触片に接続したり切断したりし、その結果、キーボードのオン、オフを実現することができる。
【０００３】
従来のキーボードスイッチの多くは、押しキーの内部の下向きに突出する位置決め柱をベースの開口において垂直に伸縮させることで、回路接点をトリガにするようになっている。このようなキーボードスイッチでは、押しキーの位置決め柱とベースとの接触面積が小さく、押しキーが押圧時に傾いたり戻らなかったりすることが容易に発生する。また、押しキーが引っかかるような現象の発生がよくあるため、円滑かつ安定的に使用することができないほか、操作時に指圧の感触が不良で、ユーザの利用要求を満たすことができない。
この問題を解決するために、従来技術では、通常、案内筒とそのキー孔内に突出するキーステムとを両者の接触面の大きい構造として設計し、これにより、案内筒のキー孔内において押しキーを軸方向に円滑に移動させることができる。しかしながら、このような押しキーが案内筒との間で面接触して、操作時に押しキーと案内筒との間の摩擦力が大きく、操作に手間がかかり、一方、構造が単一化過ぎて、使用の円滑性に欠けるほか、取り付けが煩雑である。
【発明の概要】
【発明が解決しようとする課題】
【０００４】
上記問題を解決するために、本発明は、押しキーが傾いたり戻らなかったりするのを防止できるほか、操作が容易で使用が円滑になり、指圧の感触に優れ、取り付けが簡単な新型キーボードスイッチを提供する。
【課題を解決するための手段】
【０００５】
本発明が採用する技術方案は以下の通りである。すなわち、新型キーボードスイッチは、ベース台と、固定接触片と、可動接触片と、上蓋と、可動接触片の動作を制御して固定接触片に接触させるための押しキーと、力を受けた前記押しキーを復帰させるための復帰バネとを含む。前記上蓋は、ベース台上に係合する。前記固定接触片及び可動接触片は、いずれもベース台上に設置される。前記押しキーは、一端がベース台上に上下動可能に取り付けられ、他端が前記上蓋に穿設される。前記復帰バネの上下両端は、押しキー及びベース台にそれぞれ当接する。新型キーボードスイッチは、前記押しキーの傾きを防止するための少なくとも２つのバランサーロッド、バランサーロッドが取り付けられるための少なくとも４つの回動溝及びスライド案内溝をさらに含む。前記スライド案内溝及び回動溝の数は、いずれもバランサーロッドの数の２倍である。前記バランサーロッドの本体は、それぞれ回動溝内に回動可能に嵌装される。バランサーロッドの両端は、対応するスライド案内溝内に回動可能に嵌められるとともに、スライド案内溝に沿って往復動する。
【０００６】
上記技術方案に対するさらなる改良として、前記バランサーロッドは、対称に設置される第１バランサーロッド及び第２バランサーロッドである２つのバランサーロッドである。前記第１バランサーロッド及び第２バランサーロッドは、押しキーとベース台との間に対称に設置される。前記ベース台の対向する両側には、２つの第１回動溝及び２つの第２回動溝がそれぞれ設置される。前記押しキーの対向する２辺には、２つの第１スライド案内溝及び２つの第２スライド案内溝がそれぞれ設置される。前記第１（２）バランサーロッドは、第１（２）ロッド体及び２つの第１（２）エクステンションアームを含む。２つの前記第１（２）エクステンションアームは、それぞれ第１（２）ロッド体の両端から一体に湾曲して延びるように形成される。２つの第１（２）エクステンションアームの後端のそれぞれから、第１（２）連結アームが湾曲して延びるように形成される。２つの第１（２）連結アームは、互いに対向する。前記第１（２）ロッド体は、第１（２）回動溝内に回動可能に嵌装される。２つの第１（２）連結アームは、いずれも対応する第１（２）スライド案内溝内に回動可能に嵌められるとともに、第１（２）スライド案内溝に沿って往復動する。前記第１（２）回動溝は、いずれも間隔をあけて２つ並列に設置される。第１（２）の両端は、それぞれ対応する第１（２）回動溝内に嵌められる。
【０００７】
上記技術方案に対するさらなる改良として、前記第１スライド案内溝と第２スライド案内溝との中間には、ベース台に向かって延びる位置決め部が設置される。前記ベース台上には、位置決め孔が対応して設置される。前記位置決め部は、前記位置決め孔に嵌設される。
【０００８】
上記技術方案に対するさらなる改良として、前記バランサーロッドは、対称に設置される第３バランサーロッド及び第４バランサーロッドである２つのバランサーロッドである。前記第３バランサーロッド及び第４バランサーロッドは、上蓋及び押しキーの外側に対称に設置される。前記上蓋の対向する２辺の外側には、２つの第３回動溝及び２つの第４回動溝がそれぞれ設置される。前記押しキーの対向する２辺には、２つの第３スライド案内溝及び２つの第４スライド案内溝がそれぞれ設置される。前記第３（４）バランサーロッドは、第３（４）ロッド体及び２つの第３（４）エクステンションアームを含む。２つの前記第３（４）エクステンションアームは、それぞれ第３（４）ロッド体の両端から一体に湾曲して延びるように形成される。２つの第３（４）エクステンションアームの後端のそれぞれから、第３（４）連結アームが湾曲して延びるように形成される。２つの第３（４）連結アームは、互いに対向する。前記第３（４）ロッド体は、第３（４）回動溝内に回動可能に嵌装される。２つの第３（４）連結アームは、いずれも対応する第３（４）スライド案内溝内に回動可能に嵌められるとともに、第３（４）スライド案内溝に沿って往復動する。前記第３（４）回動溝は、いずれも間隔をあけて２つ並列に設置される。第３（４）ロッド体の両端は、それぞれ対応する第３（４）回動溝内に嵌められる。
【０００９】
上記技術方案に対するさらなる改良として、新型キーボードスイッチは、ベース台の下方に取り付けられてベース台を固定させるための外固定板をさらに含む。前記バランサーロッドは、対称に設置される第５バランサーロッド及び第６バランサーロッドである２つのバランサーロッドである。前記第５バランサーロッド及び第６バランサーロッドは、外固定板及び押しキーの外側に対称に設置される。前記外固定板の中央には、ベース台の取付孔が取付けられる。前記取付孔の両側には、２つの支持台が対称に設けられる。２つの前記支持台上には、２つの第５回動溝及び２つの第６回動溝がそれぞれ設置される。前記押しキーの対向する２辺には、２つの第５スライド案内溝及び２つの第６スライド案内溝がそれぞれ設置される。前記第５（６）バランサーロッドは、第５（６）ロッド体、２つの第５（６）支持アーム及び２つの第５（６）エクステンションアームを含む。２つの第５（６）支持アームは、それぞれ第５（６）ロッド体の両端から上向きに湾曲して延びるように形成される。第５（６）エクステンションアームは、それぞれ第５（６）支持アームの後端から一体に湾曲して延びるように形成される。２つの第５（６）エクステンションアームの後端のそれぞれから、第５（６）連結アームが湾曲して延びるように形成される。２つの第５（６）連結アームは、互いに対向する。前記第５（６）ロッド体は、第５（６）回動溝内に回動可能に嵌装される。２つの第５（６）連結アームは、いずれも対応する第５（６）スライド案内溝内に回動可能に嵌められるとともに、第５（６）スライド案内溝に沿って往復動する。前記第５（６）回動溝は、いずれも間隔をあけて２つ並列に設置される。第５（６）ロッド体の両端は、それぞれ対応する第５（６）回動溝内に嵌められる。
【００１０】
上記技術方案に対するさらなる改良として、前記バランサーロッドは、対称に設置される第７バランサーロッド及び第８バランサーロッドである２つのバランサーロッドである。前記第７バランサーロッド及び第８バランサーロッドは、上蓋及びベース台の外側に対称に設置される。前記ベース台の対向する２辺の外側には、２つの第７回動溝及び２つの第８回動溝がそれぞれ設置される。前記上蓋の対向する２辺の外側の、第７回動溝及び第８回動溝に対応する位置には、第７回動溝及び第８回動溝を覆うための溝蓋がそれぞれ設置される。前記押しキーの対向する２辺には、２つの第７スライド案内溝及び２つの第８スライド案内溝がそれぞれ設置される。前記第７（８）バランサーロッドは、第７（８）ロッド体、２つの第７（８）支持アーム及び２つの第７（８）エクステンションアームを含む。２つの第７（８）支持アームは、それぞれ第７（８）ロッド体の両端から上向きに湾曲して延びるように形成される。２つの第７（８）エクステンションアームは、それぞれ第７（８）支持アームの後端から一体に湾曲して延びるように形成される。２つの第７（８）エクステンションアームの後端のそれぞれから、第７（８）連結アームが湾曲して延びるように形成される。２つの第７（８）連結アームは、互いに対向する。前記第７（８）ロッド体は、第７（８）回動溝内に回動可能に嵌装される。２つの第７（８）連結アームは、いずれも対応する第７（８）スライド案内溝内に回動可能に嵌められるとともに、第７（８）スライド案内溝に沿って往復動する。前記第７（８）回動溝は、いずれも間隔をあけて２つ並列に設置される。第７（８）ロッド体の両端は、それぞれ対応する第７（８）回動溝内に嵌められる。
【００１１】
上記技術方案に対するさらなる改良として、前記上蓋の対向する２つの側面のそれぞれには、２つの係止歯が間隔をあけて設置される。前記ベース台の対向する２つの側面には、２つの係止歯の間に対応して外向きに突出する突起が形成される。前記係止歯は、突起の両側に係止可能である。前記上蓋及びベース台は、係止歯及び突起により互いに係合される。
【００１２】
上記技術方案に対するさらなる改良として、前記上蓋とベース台との係合により、第１収容室及び第２収容室が形成される。前記固定接触片及び可動接触片は、第１収容室に位置する。前記押しキー及び復帰バネは、第２収容室に位置する。前記第１バランサーロッド及び第２バランサーロッドは、第２収容室に位置する。
【００１３】
上記技術方案に対するさらなる改良として、前記押しキーには、案内孔が設置され、前記ベース台上には、案内柱が対応して設置される。前記案内孔は、案内柱に外嵌されるとともに案内柱に沿って上下動する。
【００１４】
上記技術方案に対するさらなる改良として、前記固定接触片には、固定接触点及び第１溶接脚が設置される。前記可動接触片には、可動接触点及び第２溶接脚が設置される。前記固定接触点と可動接触点は、対応して設置される。前記第１溶接脚及び第２溶接脚は、いずれもベース台から外側に突出する。
【発明の効果】
【００１５】
本発明は以下の顕著な効果を奏する。
１．少なくとも２つのバランサーロッドは、押しキーとベース台との間に設置されたり、上蓋とベース台との間、上蓋と押しキーとの間、または外固定板と押しキーとの間に外装されたりする。バランサーロッドにより押しキーを位置決めすることで、押しキーが押圧時に傾いたり戻らなかったりしにくくなる。その結果、押圧時にスイッチを容易に操作して円滑に使用可能であり、優れた指圧の感触が得られるほか、構造が簡単でありかつ取り付けが容易である。
２．２つのバランサーロッドは、押しキーの両側に対称に設置される。ユーザが押しキーを斜めに押圧すると、押しキーの両側にバランサーロッドがそれぞれ設置されるため、バランサーロッドの回動によって押圧力に対する傾斜方向の分力を相殺し、押しキーが傾いたり戻らなかったりするのをさらに防止し、使用の円滑性を確保することができる。
３．２つのバランサーロッドは、いずれも２つの連結アームにより回動可能であるとともに押しキーの両側に往復動可能に取付けられ、２つのロッド体によりベース台または外固定板または上蓋上に回動可能に取付けられ、２つのバランサーロッドと押しキー及びベース台、外固定板、上蓋との間の摩擦力が小さく、押しキーの傾きを回避するとともに、スイッチの押圧操作をより容易にし、その結果、使用の円滑性をさらに確保することができる。
４．上蓋に係止歯が間隔をあけて設置され、ベース台に突起が対応して形成され、係止歯が突起の両側に係止可能であり、上蓋及びベース台が係止歯及び突起により互いに係合されて密接に結合され、これにより、押しキーの揺動を回避し、押しキーが傾いたり戻らなかったりするのをさらに防止することができる。
５．上蓋とベース台との係合により、第１収容室及び第２収容室が形成され、押しキーが第２収容室内に位置し、第１バランサーロッド及び第２バランサーロッドも第２収容室に位置し、押しキーとベース台との接触面積が小さく、第１バランサーロッド及び第２バランサーロッドによって押しキーの傾きが生じないことを確保するとともに、押しキーの上下動時の摩擦力が小さくなり、操作が容易になる。
６．押しキーの第１スライド案内溝と第２スライド案内溝の中間に位置決め部が設置され、ベース台上に位置決め孔が対応して設置される。位置決め部が位置決め孔に嵌設されて押しキーを両側から位置決めすることで、押しキーが上下動時に傾いたり戻らなかったりするのをさらに防止し、使用の円滑性を確保する。
７．押しキーに案内孔が設置され、ベース台上に案内柱が対応して設置され、案内孔が案内柱に外嵌されるとともに案内柱に沿って上下動する。案内孔が案内柱に外嵌されて押しキーを中央から位置決めすることで、押しキーの軸方向移動を確保し、押しキーが上下動時に傾いたり戻らなかったりするのをさらに防止し、使用の円滑性を確保する。
【図面の簡単な説明】
【００１６】
【図１】本発明の第１実施形態に係るキーボードスイッチを示す斜視図である。
【図２】本発明の第１実施形態に係るキーボードスイッチを示す分解図である。
【図３】本発明の第１実施形態に係るキーボードスイッチを示す分解斜視図である。
【図４】本発明の第１実施形態に係るキーボードスイッチを示す断面図である。
【図５】本発明のベース台の構造を示す図である。
【図６】本発明の押しキーの構造を示す図である。
【図７】本発明の第２実施形態に係るキーボードスイッチを示す斜視図である。
【図８】本発明の第２実施形態に係るキーボードスイッチを示す分解図である。
【図９】本発明の第２実施形態に係るキーボードスイッチを示す分解斜視図である。
【図１０】本発明の第２実施形態に係るキーボードスイッチを示す断面図である。
【図１１】本発明の第３実施形態に係るキーボードスイッチを示す斜視図である。
【図１２】本発明の第３実施形態に係るキーボードスイッチを示す分解図である。
【図１３】本発明の第３実施形態に係るキーボードスイッチを示す分解斜視図である。
【図１４】本発明の第３実施形態に係るキーボードスイッチを示す断面図である。
【図１５】本発明の第４実施形態に係るキーボードスイッチを示す斜視図である。
【図１６】本発明の第４実施形態に係るキーボードスイッチを示す分解斜視図である。
【図１７】本発明の第４実施形態に係るキーボードスイッチを示す断面図である。
【発明を実施するための形態】
【００１７】
以下、本発明について、図面を参照しながら詳しく説明する。
【００１８】
（第１実施形態）
図１〜図４は、それぞれ本発明の第１実施形態を示す斜視図、分解図、分解斜視図及び断面図である。新型キーボードスイッチ１００は、ベース台１０と、固定接触片２０と、可動接触片３０と、上蓋６０と、固定接触片２０に接触するように可動接触片３０を作動させるための押しキー４０と、力を受けた押しキー４０を復帰させるための復帰バネ５０とを含む。
【００１９】
上蓋６０は、ベース台１０上に係合する。固定接触片２０及び可動接触片３０は、いずれもベース台１０上に設置される。押しキー４０の一端は、ベース台１０上に上下動可能に設置され、その他端は、上蓋６０に穿設される。復帰バネ５０の上下両端は、押しキー４０及びベース台１０にそれぞれ当接する。
【００２０】
固定接触片２０には、固定接触点２１及び第１溶接脚２２が設置される。可動接触片３０には、可動接触点３１及び第２溶接脚３２が設置される。固定接触点２１と可動接触点３１は、対応して設置される。第１溶接脚２２及び第２溶接脚３２は、いずれもベース台１０から外側に突出する。
【００２１】
図５及び図６は、それぞれ本発明の第１実施形態のベース台及び押しキーの構造を示す図である。ベース台１０と押しキー４０との間には、押しキー４０の傾きを防止するための第１バランサーロッド７０及び第２バランサーロッド８０が対称に設置される。ベース台１０の両側には、第１回動溝１１及び第２回動溝１２が設置される。押しキー４０の対向する２辺には、２つの第１スライド案内溝４１及び２つの第２スライド案内溝４２がそれぞれ設置される。第１バランサーロッド７０及び第２バランサーロッド８０は、それぞれ、第１回動溝１１及び第２回動溝１２内に回動可能に嵌装され、対応する第１スライド案内溝４１及び第２スライド案内溝４２内に回動可能に嵌められるとともに、第１スライド案内溝４１及び第２スライド案内溝４２に沿って往復動する。
【００２２】
押しキー４０の傾きを防止するための第１バランサーロッド７０及び第２バランサーロッド８０をベース台１０と押しキー４０との間に対称に設置し、２つのバランサーロッドにより押しキー４０を位置決めすることで、押しキー４０が押圧時に傾いたり戻らなかったりしにくくなり、その結果、押圧時にスイッチ１００を容易に操作して円滑に使用可能であり、優れた指圧の感触が得られる。
【００２３】
第１バランサーロッド７０及び第２バランサーロッド８０は押しキー４０の両側に対称に設置される。ユーザが押しキー４０を斜めに押圧すると、押しキー４０の両側にバランサーロッドがそれぞれ設置されるため、バランサーロッドの回動によって押圧力に対する傾斜方向の分力を相殺し、押しキー４０が傾いたり戻らなかったりするのをさらに防止し、使用の円滑性を確保することができる。
【００２４】
第１バランサーロッド７０は、第１ロッド体７１及び２つの第１エクステンションアーム７２を含む。２つの第１エクステンションアーム７２は、それぞれ第１ロッド体７１の両端から一体に湾曲して延びるように形成される。２つの第１エクステンションアーム７２の後端から、第１連結アーム７３が湾曲して延びるように形成される。２つの第１連結アーム７３は、互いに対向する。第１ロッド体７１は、第１回動溝１１内に回動可能に嵌装される。２つの第１連結アーム７３は、いずれも対応する第１スライド案内溝４１内に回動可能に嵌められるとともに、第１スライド案内溝４１に沿って往復動する。第２バランサーロッド８０は、第２ロッド体８１及び２つの第２エクステンションアーム８２を含む。２つの第２エクステンションアーム８２は、それぞれ第２ロッド体８１の両端から一体に湾曲して延びるように形成される。２つの第２エクステンションアーム８２の後端から、第２連結アーム８３が湾曲して延びるように形成される。２つの第２連結アーム８３は、互いに対向する。第２ロッド体８１は、第２回動溝１２内に回動可能に嵌装される。２つの第２連結アーム８３は、いずれも対応する第２スライド案内溝４２内に回動可能に嵌められるとともに、第２スライド案内溝４２に沿って往復動する。
【００２５】
第１バランサーロッド７０及び第２バランサーロッド８０は、それぞれ第１連結アーム７３及び第２連結アーム８３により回動可能であるとともに押しキー４０の両側に往復動可能に取付けられ、第１ロッド体７１及び第２ロッド体８１によりベース台１０上に回動可能に取付けられる。第１バランサーロッド７０、第２バランサーロッド８０と押しキー４０、ベース台１０との間の摩擦力が小さく、押しキー４０の傾きを回避するとともに、スイッチ１００の押圧操作をより容易にし、その結果、使用の円滑性をさらに確保することができる。
【００２６】
第１回動溝１１及び第２回動溝１２は、いずれも間隔をあけて２つ並列に設置される。第１ロッド体７１及び第２ロッド体８１の両端は、それぞれ対応する第１回動溝１１及び第２回動溝１２内に嵌められる。
上蓋６０の対向する２つの側面のそれぞれには、２つの係止歯６１が間隔をあけて設置される。ベース台１０の対向する２つの側面には、２つの係止歯６１の間に対応して外向きに突出する突起１３が形成される。係止歯６１は、突起１３の両側に係止可能である。上蓋６０及びベース台１０は、係止歯６１及び突起１３により互いに係合される。このように、上蓋６０及びベース台１０が密接に結合されることで、押しキー４０の揺動を回避し、その結果、押しキー４０が傾いたり戻らなかったりするのをさらに防止することができる。
【００２７】
上蓋６０とベース台１０との係合により、第１収容室１５及び第２収容室１６が形成される。固定接触片２０及び可動接触片３０は、第１収容室１５に位置する。押しキー４０及び復帰バネ５０は、第２収容室１６に位置する。第１バランサーロッド７０及び第２バランサーロッド８０は、第２収容室１６に位置する。押しキー４０とベース台１０との接触面積が小さく、第１バランサーロッド７０及び第２バランサーロッド８０によって押しキー４０の傾きが生じないことを確保するとともに、押しキー４０の上下動時の摩擦力が小さくなり、操作が容易になる。
【００２８】
押しキー４０の第１スライド案内溝４１と第２スライド案内溝４２との中間には、ベース台１０に向かって延びる位置決め部４３が設置される。ベース台１０上には、位置決め孔１４が位置決め部４３に対応して設置される。位置決め部４３が位置決め孔１４に嵌設されて押しキー４０を両側から位置決めすることで、押しキー４０が上下動時に傾いたり戻らなかったりするのをさらに防止し、使用の円滑性を確保する。
【００２９】
押しキー４０には、案内孔４４が設置される。ベース台１０上には、案内柱１７が案内孔４４に対応して設置される。案内孔４４は、案内柱１７に外嵌されるとともに案内柱１７に沿って上下動する。案内孔４４が案内柱１７に外嵌されて押しキー４０を中央から位置決めすることで、押しキー４０の軸方向移動を確保し、押しキー４０が上下動時に傾いたり戻らなかったりするのをさらに防止し、使用の円滑性を確保する。
【００３０】
本発明に係る新型キーボードスイッチの動作原理について説明する。
組み立て工程について説明する。まず、固定接触片２０及び可動接触片３０をベース台１０上に取り付け、固定接触片２０の第１溶接脚２２及び可動接触片３０の第２溶接脚３２のそれぞれをベース台１０から下向きに突出させる。次に、復帰バネ５０を押しキー４０の案内孔４４の下方に当接させ、案内孔４４を案内柱１７に上下動可能に外嵌するとともに復帰バネ５０を案内柱１７に外嵌し、復帰バネ５０の下端をベース台１０内に嵌め込み、押しキー４０の位置決め部４３がベース台１０の位置決め孔１４に可動に嵌設され、これにより、押しキー４０の一端をベース台１０上に上下動可能に設置するようにする。次に、第１バランサーロッド７０の第１連結アーム７３及び第２バランサーロッド８０の第２連結アーム８３を、それぞれ対応する第１スライド案内溝４１及び第２スライド案内溝４２内に可動に嵌め、その後、第１ロッド体７１及び第２ロッド体８１を第１回動溝１１及び第２回動溝１２内に可動に嵌装する。最後に、上蓋６０を嵌めて係止歯６１を突起１３に係合し、上蓋６０をベース台１０上に取り付けて固定させるとともに、押しキー４０の他端を上蓋６０に穿設する。
【００３１】
押しキー４０の傾きの防止原理について説明する。初期状態で押しキー４０が可動接触片３０に当接することで、可動接触片３０の可動接触点３１を固定接触片２０の固定接触点２１から分離させた状態を保つ。なお、そのときの回路は非導通状態である。
【００３２】
押しキー４０に対して作用力を加えると、押しキー４０が力を受けた後に上から下へ移動し、これにより、押しキー４０による可動接触片３０へ押し当てが解除される。可動接触片３０は、自身の弾力によって開くことで可動接触点３１を固定接触点２１に接触させ、回路を導通状態にする。また、第１バランサーロッド７０及び第２バランサーロッド８０では、押しキー４０により、第１ロッド体７１及び第２ロッド体８１が回動し、第１連結アーム７３が回動して右方向に移動するとともに第２連結アーム８３が回動して左方向に移動するようになる。
【００３３】
作用力がなくなると、押しキー４０は復帰バネ５０によって自動的に上向きに復帰する。これにより、押しキー４０は可動接触片３０を再び押し当てることで、可動接触点３１を固定接触点２１から再分離させて回路を非導通状態にし、第１ロッド体７１及び第２ロッド体８１が逆方向に回動し、第１連結アーム７３が逆方向に回動して左方向に移動復帰するとともに第２連結アーム８３も逆方向に回動して右方向に移動復帰する。
【００３４】
この押しキー４０は力を受けた後に下向きに移動する間に、２つのバランサーロッドによって位置決めされる。こうすることで、押しキー４０が押圧時に傾いたり戻らなかったりしにくくなり、その結果、押圧時にスイッチ１００を容易に操作して円滑に使用可能であり、優れた指圧の感触が得られる。また、案内孔４４が案内柱１７に外嵌されて押しキー４０を中央から位置決めし、位置決め部４３が位置決め孔１４に嵌設されて押しキー４０を両側から位置決めすることで、押しキー４０の軸方向移動を確保し、押しキー４０が上下動時に傾いたり戻らなかったりするのをさらに防止し、使用の円滑性を確保する。
【００３５】
本実施形態では、バランサーロッドは２つ設置される。他の実施形態では、バランサーロッドは２つ以上であってもよい。
【００３６】
（第２実施形態）
図７〜図１０は、それぞれ本発明の第２実施形態を示す斜視図、分解図、分解斜視図及び断面図である。
【００３７】
本実施形態に係るキーボードスイッチは、上述した第１実施形態に係るキーボードスイッチと具体的な構造はほぼ同じであるが、以下の点で異なっている。本実施形態では、バランサーロッドは、対称に設置される２つのバランサーロッド、すなわち、第３バランサーロッド７０ａ及び第４バランサーロッド８０ａである。第３バランサーロッド７０ａ及び第４バランサーロッド８０ａは、上蓋６０及び押しキー４０の外側に対称に設置される。上蓋６０の対向する２辺の外側には、２つの第３回動溝６２及び２つの第４回動溝６３がそれぞれ設置される。押しキー４０の対向する２辺には、２つの第３スライド案内溝４５及び２つの第４スライド案内溝４６がそれぞれ設置される。第３バランサーロッド７０ａは、第３ロッド体７１ａ及び２つの第３エクステンションアーム７２ａを含む。２つの第３エクステンションアーム７２ａは、それぞれ第３ロッド体７１ａの両端から一体に湾曲して延びるように形成される。２つの第３エクステンションアーム７２ａの後端のそれぞれから、第３連結アーム７３ａが湾曲して延びるように形成される。２つの第３連結アーム７３ａは、互いに対向する。第３ロッド体７１ａは、第３回動溝６２内に回動可能に嵌装される。２つの第３連結アーム７３ａは、いずれも対応する第３スライド案内溝４５内に回動可能に嵌められるとともに、第３スライド案内溝４５に沿って往復動する。第４バランサーロッド８０ａは、第４ロッド体８１ａ及び２つの第４エクステンションアーム８２ａを含む。２つの第４エクステンションアーム８２ａは、それぞれ第４ロッド体８１ａの両端から一体に湾曲して延びるように形成される。２つの第４エクステンションアーム８２ａの後端のそれぞれから、第４連結アーム８３ａが湾曲して延びるように形成される。２つの第４連結アーム８３ａは、互いに対向する。第４ロッド体８１ａは、第４回動溝６３内に回動可能に嵌装される。２つの第４連結アーム８３ａは、いずれも対応する第４スライド案内溝４６内に回動可能に嵌められるとともに、第４スライド案内溝４６に沿って往復動する。第３回動溝６２及び第４回動溝６３は、いずれも間隔をあけて２つ並列に設置される。第３ロッド体７１ａ及び第４ロッド体８１ａの両端は、それぞれ対応する第３回動溝６２及び第４回動溝６３内に嵌められる。
【００３８】
（第３実施形態）
図１１〜図１４は、それぞれ本発明の第３実施形態を示す斜視図、分解図、分解斜視図及び断面図である。
【００３９】
本実施形態は、上述した第１実施形態と具体的な構造はほぼ同じであるが、以下の点で異なっている。本実施形態に係るキーボードスイッチは、ベース台の下方に取り付けられてベース台を固定させるための外固定板９０をさらに含む。バランサーロッドは、対称に設置される２つのバランサーロッド、すなわち、第５バランサーロッド７０ｂ及び第６バランサーロッド８０ｂである。第５バランサーロッド７０ｂ及び第６バランサーロッド８０ｂは、外固定板９０及び押しキー４０の外側に対称に設置される。外固定板９０の中央には、取付孔９１が取付けられる。取付付孔９１の両側には、２つの支持台９２が対称に設けられる。２つの支持台９２上には、２つの第５回動溝９３及び２つの第６回動溝９４がそれぞれ設置される。押しキー４０の対向する２辺には、２つの第５スライド案内溝４７及び２つの第６スライド案内溝４８がそれぞれ設置される。第５バランサーロッド７０ｂは、第５ロッド体７１ｂ、２つの第５支持アーム７２ｂ及び２つの第５エクステンションアーム７３ｂを含む。２つの第５支持アーム７２ｂは、それぞれ第５ロッド体７１ｂの両端から上向きに湾曲して延びるように形成される。２つの第５エクステンションアーム７３ｂは、それぞれ第５支持アーム７２ｂの後端から一体に湾曲して延びるように形成される。２つの第５エクステンションアーム７３ｂの後端のそれぞれから、第５連結アーム７４ｂが湾曲して延びるように形成される。２つの第５連結アーム７４ｂは、互いに対向する。第５ロッド体７１ｂは、第５回動溝９３内に回動可能に嵌装される。２つの第５連結アーム７４ｂは、いずれも対応する第５スライド案内溝４７内に回動可能に嵌められるとともに、第５スライド案内溝４７に沿って往復動する。第６バランサーロッド８０ｂは、第６ロッド体８１ｂ、２つの第６支持アーム８２ｂ及び２つの第６エクステンションアーム８３ｂを含む。２つの第６支持アーム８２ｂは、それぞれ第６ロッド体８１ｂの両端から上向きに湾曲して延びるように形成される。２つの第６エクステンションアーム８３ｂは、それぞれ第６支持アーム８２ｂの後端から一体に湾曲して延びるように形成される。２つの第６エクステンションアーム８３ｂの後端のそれぞれから、第６連結アーム８４ｂが湾曲して延びるように形成される。２つの第６連結アーム８４ｂは、互いに対向する。第６ロッド体８１ｂは、第６回動溝９４内に回動可能に嵌装される。２つの第６連結アーム８４ｂは、いずれも対応する第６スライド案内溝４８内に回動可能に嵌められるとともに、第６スライド案内溝４８に沿って往復動する。第５回動溝９３及び第６回動溝９４は、いずれも間隔をあけて２つ並列に設置される。第５ロッド体７１ｂ及び第６ロッド体８１ｂの両端は、それぞれ対応する第５回動溝９３及び第６回動溝９４内に嵌められる。
【００４０】
（第４実施形態）
図１５〜図１７は、それぞれ本発明の第４実施形態を示す斜視図、分解図、分解斜視図及び断面図である。
【００４１】
本実施形態は、上述した第１実施形態と具体的な構造はほぼ同じであるが、以下の点で異なっている。本実施形態では、バランサーロッドは、対称に設置される２つのバランサーロッド、すなわち、第７バランサーロッド７０ｃ及び第８バランサーロッド８０ｃである。第７バランサーロッド７０ｃ及び第８バランサーロッド８０ｃは、上蓋６０及びベース台１０の外側に対称に設置される。ベース台１０の対向する２辺の外側には、２つの第７回動溝１５及び２つの第８回動溝１６がそれぞれ設置される。上蓋の対向する２辺の外側の、第７回動溝１５及び第８回動溝１６に対応する位置には、第７回動溝１５及び第８回動溝１６を覆うための溝蓋６４がそれぞれ設置される。押しキー４０の対向する２辺には、２つの第７スライド案内溝４９ａ及び２つの第８スライド案内溝４９ｂがそれぞれ設置される。第７バランサーロッド７０ｃは、第７ロッド体７１ｃ、２つの第７支持アーム７２ｃ及び２つの第７エクステンションアーム７３ｃを含む。２つの第７支持アーム７２ｃは、それぞれ第７ロッド体７１ｃの両端から上向きに湾曲して延びるように形成される。２つの第７エクステンションアーム７３ｃは、それぞれ第７支持アーム７２ｃの後端から一体に湾曲して延びるように形成される。２つの第７エクステンションアーム７３ｃの後端のそれぞれから、第７連結アーム７４ｃが湾曲して延びるように形成される。２つの第７連結アーム７４ｃは、互いに対向する。第７ロッド体７１ｃは、第７回動溝１５内に回動可能に嵌装される。２つの第７連結アーム７４ｃは、いずれも対応する第７スライド案内溝４９ａ内に回動可能に嵌められるとともに、第７スライド案内溝４９ａに沿って往復動する。第８バランサーロッド８０ｃは、第８ロッド体８１ｃ、２つの第８支持アーム８２ｃ及び２つの第８エクステンションアーム８３ｃを含む。２つの第８支持アーム８２ｃは、それぞれ第８ロッド体８１ｃの両端から上向きに湾曲して延びるように形成される。２つの第８エクステンションアーム８３ｃは、それぞれ第８支持アーム８２ｃの後端から一体に湾曲して延びるように形成される。２つの第８エクステンションアーム８３ｃの後端のそれぞれから、第８連結アーム８４ｃが湾曲して延びるように形成される。２つの第８連結アーム８４ｃは、互いに対向する。第８ロッド体８１ｃは、第８回動溝１６内に回動可能に嵌装される。２つの第８連結アーム８４ｃは、いずれも対応する第８スライド案内溝４９ｂ内に回動可能に嵌められるとともに、第８スライド案内溝４９ｂに沿って往復動する。第７回動溝１５及び前記第８回動溝１６は、いずれも間隔をあけて２つ並列に設置される。第７ロッド体７１ｃ及び第８ロッド体８１ｃの両端は、それぞれ対応する第７回動溝１５及び第８回動溝１６内に嵌められる。
【００４２】
上述したように、今回開示された実施の形態はすべての点で例示であって制限的なものではないと考えられるべきである。当業者であれば、本発明の精神から逸脱しない範囲で各種の変更や改良を行うことは、本発明の保護を求める範囲に属するものであることを理解されたい。したがって、本発明の保護範囲は特許請求の範囲の保護範囲に従う。
【図１】
0006438172.tif 000002
【図２】
0006438172.tif 000003
【図３】
0006438172.tif 000004
【図４】
0006438172.tif 000005
【図５】
0006438172.tif 000006
【図６】
0006438172.tif 000007
【図７】
0006438172.tif 000008
【図８】
0006438172.tif 000009
【図９】
0006438172.tif 000010
【図１０】
0006438172.tif 000011
【図１１】
0006438172.tif 000012
【図１２】
0006438172.tif 000013
【図１３】
0006438172.tif 000014
【図１４】
0006438172.tif 000015
【図１５】
0006438172.tif 000016
【図１６】
0006438172.tif 000017
【図１７】
0006438172.tif 000018